(57)【要約】      （修正有）【課題】特に奥歯のブラッシングに好適な歯ブラシを提供する。【解決手段】ブラシ部４を、基台部３の先端３ａ寄り部位に位置する第１のブラシ部５と、基端３ｂ寄り部位に位置する第２のブラシ部６で構成するとともに、側面視において、第１のブラシ部５の植毛幅が第２のブラシ部６の植毛幅よりも小さく、且つ第１のブラシ部５と第２のブラシ部６が共に植毛幅方向中央部の高さが高くなった山形の毛先ラインを備える。係る構成によれば、第１のブラシ部５は、腔内奥部まで届き易い部位に設けられ且つ山形の毛先ラインを備えていることから、奥歯の冠部の窪み部に進入してこれをブラッシングするのに好適であるとともに、山形の毛先ラインを備えていることから、隣接する奥歯同士の歯間部を的確にブラッシングすることが容易であり、第２のブラシ部６は、第１のブラシ部５によるブラッシンと同時に、他の奥歯の冠部の全域をブラッシングすることができる。【選択図】図３
0003107546.tif 000002
【実用新案登録請求の範囲】
【請求項１】
柄体（２）の先端部に設けた基台部（３）にブラシ毛を植毛してなるブラシ部（４）が設けられた歯ブラシであって、
上記ブラシ部（４）が、上記基台部（３）の先端（３ａ）寄り部位に位置する第１のブラシ部（５）と、基端（３ｂ）寄り部位に位置する第２のブラシ部（６）から構成されるとともに、
側面視において、上記第１のブラシ部（５）の植毛幅は上記第２のブラシ部（６）の植毛幅よりも小さく、且つ上記第１のブラシ部（５）と第２のブラシ部（６）は共に植毛幅方向中央部の高さが高くなった山形の毛先ラインを備えていることを特徴とする歯ブラシ。
【請求項２】
請求項１において、
上記第１のブラシ部（５）のブラシ毛高さが、上記第２のブラシ部（６）のブラシ毛高さよりも高く設定されていることを特徴とする歯ブラシ。
【請求項３】
請求項１又は２において、
上記第１のブラシ部（５）及び第２のブラシ部（６）の上記柄体（２）の軸方向からの正面視においては、共にその先端縁が直線状とされていることを特徴とする歯ブラシ。
【考案の詳細な説明】
【技術分野】
【０００１】  本願考案は、特に奥歯のブラッシングに好適な毛先ラインをもつ歯ブラシに関するものである。
【背景技術】
【０００２】  一般に、歯ブラシは、柄体の先端に設けた基台に、所定数のブラシ毛を束ねたブラシ毛束を一様に植毛してこれをブラシ部とするのが通例であった。【０００３】  しかし、人間の歯は全て一様ではなく、例えば、前歯は板状形態をもち、且つ隣接する前歯間の歯間部の奥行きは小さい。これに対して、奥歯は全体として略棒状形態をもち、且つその上端の冠部は食物を摺り潰し易いように中央が窪んだ形とされ、しかも歯間部の奥行きも大きい。【０００４】  従って、このように形態等の異なる歯を同一構造の歯ブラシでブラッシングしても、特にブラッシング条件の悪い奥歯に対しては十分なブラッシングができにくいという問題があった。【０００５】  このような事情から、例えば、特許文献１には、奥歯とかその歯間部のブラッシングに適した歯ブラシが提案されている。【０００６】
【特許文献１】特開平９−１８７３１９号公報（段落「０００２」〜「０００４」、「００１５」〜「００１８」、図１）。
【考案の開示】
【考案が解決しようとする課題】
【０００７】  上掲公報に示された歯ブラシは、奥歯の冠部の窪み部分とか、奥歯の歯間部に容易に進入してこれをブラッシングすべく、柄体の先端に設けられるブラシ体を、一束の植毛のみで構成したものである。【０００８】  しかしながら、係る構成の歯ブラシにおいては、一束の植毛のみでブラシ体を構成していることから、各奥歯及び歯間部を一つずつ順番にブラッシングしなければならず、歯磨きに時間がかかり、また奥歯以外の歯、例えば、前歯のブラッシングには適さないので、奥歯以外の歯のブラッシングに際しては使用する歯ブラシを取り替えなければならない当業者上記の不便があった。【０００９】  そこで本考案は、全ての歯のブラッシングに適用でき、特に奥歯のブラッシングに好適な歯ブラシを提供することを目的としてなされたものである。
【課題を解決するための手段】
【００１０】  本願考案では、上記課題を解決するための手段として、次のような構成を採用している。【００１１】  本願の第１の考案では、柄体２の先端部に設けた基台部３にブラシ毛を植毛してなるブラシ部４が設けられた歯ブラシにおいて、上記ブラシ部４を、上記基台部３の先端３ａ寄り部位に位置する第１のブラシ部５と、基端３ｂ寄り部位に位置する第２のブラシ部６で構成するとともに、側面視において、上記第１のブラシ部５の植毛幅が上記第２のブラシ部６の植毛幅よりも小さく、且つ上記第１のブラシ部５と第２のブラシ部６が共に植毛幅方向中央部の高さが高くなった山形の毛先ラインを備えていることを特徴としている。【００１２】  本願の第２の考案では、上記第１の考案に係る歯ブラシにおいて、上記第１のブラシ部５のブラシ毛高さを、上記第２のブラシ部６のブラシ毛高さよりも高く設定したことを特徴としている。【００１３】  本願の第３の考案では、上記第１又は第２の考案に係る歯ブラシにおいて、上記第１のブラシ部５及び第２のブラシ部６の上記柄体２の軸方向からの正面視において、共にその先端縁を直線状としたことを特徴としている。
【考案の効果】
【００１４】  本願考案に係る歯ブラシによれば、次のような効果が奏せられる。【００１５】（イ）  本願の第１の考案に係る歯ブラシでは、柄体２の先端部に設けた基台部３にブラシ毛を植毛してなるブラシ部４が設けられた歯ブラシにおいて、上記ブラシ部４を、上記基台部３の先端３ａ寄り部位に位置する第１のブラシ部５と、基端３ｂ寄り部位に位置する第２のブラシ部６で構成するとともに、側面視において、上記第１のブラシ部５の植毛幅が上記第２のブラシ部６の植毛幅よりも小さく、且つ上記第１のブラシ部５と第２のブラシ部６が共に植毛幅方向中央部の高さが高くなった山形の毛先ラインを備えている。【００１６】  従って、この考案の歯ブラシによれば、
上記第１のブラシ部５は、上記基台部３の先端３ａ寄り部位、即ち、腔内奥部まで届き易い部位に設けられており、しかも山形の毛先ラインを備えていることから、その冠部が凹状に窪んだ形態をもつ奥歯の該冠部の窪み部に進入してこれをその上側からブラッシングするのに好適であり、また、山形の毛先ラインを備えていることから、奥歯の冠部のみならず、隣接した奥歯同士の隙間、即ち、歯間部にも進入してここを的確にブラッシングすることが容易であり、
上記第２のブラシ部６は、上記第１のブラシ部５よりも大きい植毛幅を有し且つ上記基台部３の基端３ｂ寄り部位に位置し、しかも山形の毛先ラインを備えていることから、上記第１のブラシ部５による特定の奥歯のブラッシング時に、これと同時に、該特定の奥歯よりも手前側に位置する他の奥歯の冠部の全域をブラッシングすることができ、
さらに、上記第１のブラシ部５と第２のブラシ部６が共に山形の毛先ラインを備えていることから、これら両者で隣接する奥歯の周部を同時にそれぞれブラッシングすることができ、
これらの相乗効果として、奥歯を効率良く的確にブラッシングできる、極めて実用価値の高い歯ブラシを提供できるものである。【００１７】  また、上記ブラシ部４が上記第１のブラシ部５と第２のブラシ部６から構成されているので、該ブラシ部４は比較的大きな払拭面積をもち、従って、奥歯部分のブラッシングのみならず、前歯等の全ての歯のブラッシングにも適用でき、その汎用性が高く、実用上有益である。【００１８】（ロ）  本願の第２の考案では、上記（イ）に記載の効果に加えて、次のような特有の効果が得られる。即ち、この考案では、上記第１のブラシ部５のブラシ毛高さを、上記第２のブラシ部６のブラシ毛高さよりも高く設定しているので、特定の奥歯の冠部を上記第１のブラシ部５によってブラッシングする場合、上記特定の奥歯の手前側にある他の奥歯の冠部に上記第２のブラシ部６が当ることによって、上記第１のブラシ部５の上記特定の奥歯に対する当り状態が阻害されるということが可及的に防止され、上記第１のブラシ部５による高いブラッシング効果が確保されるものである。【００１９】（ハ）  本願の第３の考案では、上記（イ）又は（ロ）に記載の効果に加えて、次のような特有の効果が得られる。即ち、この考案では、上記第１のブラシ部５及び第２のブラシ部６の上記柄体２の軸方向からの正面視において、共にその先端縁を直線状としているので、これら第１のブラシ部５及び第２のブラシ部６を押引させる場合における広い払拭面積を確保でき、その結果、払拭作用の向上効果と、上記第１のブラシ部５が側面視において山形の毛先ラインを備えたことで狭い歯間部への進入が容易であるという効果の両立が可能となり、より一層高いブラッシング性能をもつ歯ブラシを提供できる。
【考案を実施するための最良の形態】
【００２０】  以下、本願考案を好適な実施形態に基づいて具体的に説明する。【００２１】  図１及び図２には、本願考案の実施形態に係る歯ブラシ１を示している。この歯ブラシ１は、特に奥歯のブラッシングに好適な歯ブラシであって、所定長さをもつ柄体２の先端に設けた基台部３に次述するブラシ部４を備えて構成される。【００２２】  上記ブラシ部４は、上記基台部３の先端３ａ寄り部位に設けられた次述の第１のブラシ部５と、上記基台部３の基端３ｂ寄り部位に設けられて次述の第２のブラシ部６を備えて構成される。【００２３】  上記第１のブラシ部５は、所定本数のブラシ毛を束ねたブラシ毛束７を、上記基台部３の前後方向に二列に、且つ先端寄りの一列目には２個、二列目には３個、合計５個植毛してなる。これに対して、上記第２のブラシ部６は、上記第１のブラシ部５の手前側に、所定本数のブラシ毛を束ねたブラシ毛束８を、上記基台部３の前後方向に五列に、且つ各列に４個ずつ、合計２０個植毛してなる。【００２４】  従って、当然のことながら、上記第１のブラシ部５と第２のブラシ部６を対比した場合、その側面視（即ち、上記柄体２の長さ方向に直交する方向から視たもの）において、上記第１のブラシ部５の植毛幅（即ち、上記柄体２の長さ方向の幅）は、上記第２のブラシ部６の植毛幅よりも狭く、約１／２．５となっている。【００２５】  そして、この実施形態の歯ブラシが最も特徴とするところは、上記第１のブラシ部５及び第２のブラシ部６のカット形態である。このカット形態を、図３の拡大図及び図４の模式図に基づいて説明する。【００２６】  即ち、図３及び図４に示すように、上記第１のブラシ部５側においては、その一列目の各ブラシ毛束７は上記基台部３の先端３ａ側から基端基台部３ｂ側へ向かって上昇傾斜し、また二列目の各ブラシ毛束７は上記基台部３の基端基台部３ｂ側から先端３ａ側へ向かって上昇傾斜するようにカットされており、該第１のブラシ部５全体としての側面視では植毛幅方向の中央部が高くなった山形状の先端ラインをもっている。尚、この場合、上記第１のブラシ部５の正面視（即ち、上記柄体２の長手方向から視る）における先端ラインは、直線状とされている。【００２７】  一方、上記第２のブラシ部６側においては、植毛幅方向中央に位置する三列目のブラシ毛束８を最高位とし、これより前側の一列目及び二列目のブラシ毛束８は一列目のブラシ毛束８から三列目のブラシ毛束８に向かって次第に上昇傾斜するように、また上記三列目のブラシ毛束８より後側の四列目及び五列目のブラシ毛束８は五列目のブラシ毛束８から三列目のブラシ毛束８に向かって次第に上昇傾斜するようにカットされており、該第２のブラシ部６全体としての側面視では植毛幅方向の中央部が高くなった山形状の先端ラインをもっている。尚、この場合、上記第２のブラシ部６の正面視における先端ラインは、上記第１のブラシ部５と同様に、直線状とされている。【００２８】  さらに、上記第１のブラシ部５と第２のブラシ部６の間においては、該第１のブラシ部５の最大高さが、上記第２のブラシ部６の最大高さよりも所定寸法［ｈ］だけ高くなるように、相対的な高さ設定がなされている。【００２９】  以上のように構成された上記���ブラシ１を使用して奥歯１１，１２をブラッシングする場合の作用等を図５に基づいて説明する。【００３０】  上記第１のブラシ部５は、上記基台部３の先端３ａ寄り部位、即ち、腔内奥部まで届き易い部位に設けられており、しかも山形の毛先ラインを備えていることから、その冠部１１ａ、１２ａが凹状に窪んだ形態をもつ奥歯１１、１２の該冠部１１ａ、１２ａの窪み部に進入してこれをその上側からブラッシングするのに好適である。また、上記第１のブラシ部５が山形の毛先ラインを備えていることから、奥歯１１、１２の冠部１１ａ、１２ａのみならず、これら各奥歯１１，１２同士の隙間、即ち、歯間部１３にも進入してここを的確にブラッシングすることが容易である。【００３１】  さらに、上記第２のブラシ部６は、上記第１のブラシ部５よりも大きい植毛幅を有し且つ上記基台部３の基端３ｂ寄り部位に位置し、しかも山形の毛先ラインを備えていることから、例えば、上記第１のブラシ部５による上記奥歯１１のブラッシング時に、これと同時に、該奥歯１１よりも手前側に位置する奥歯１２の冠部１２ａの全域をブラッシングすることができる。また、上記第１のブラシ部５と第２のブラシ部６が共に山形の毛先ラインを備えていることから、これら両者で隣接する上記奥歯１１，１２周部１１ｂ、１２ｂを同時にそれぞれブラッシングすることができる。【００３２】  これらの相乗効果として、この実施形態の歯ブラシ１は、奥歯を効率良く的確にブラッシングできる、極めて実用価値の高い歯ブラシであるといえる。【００３３】  また一方、上記第１のブラシ部５のブラシ毛高さを、上記第２のブラシ部６のブラシ毛高さよりも寸法［ｈ］だけ高く設定しているので、上記奥歯１１の冠部１１ａを上記第１のブラシ部５によってブラッシングする場合、この奥歯１１の手前側にある上記奥歯１２の冠部１２ａに上記第２のブラシ部６が当ることによって、上記第１のブラシ部５の上記奥歯１１に対する当り状態が阻害されるということが可及的に防止され、上記第１のブラシ部５による高いブラッシング効果が確保される。【００３４】  さらに、上記第１のブラシ部５及び第２のブラシ部６の上記柄体２の軸方向からの正面視において、共にその先端縁を直線状としているので、これら第１のブラシ部５及び第２のブラシ部６を押引させる場合における広い払拭面積を確保でき、その結果、払拭作用の向上効果と、上記第１のブラシ部５が側面視において山形の毛先ラインを備えたことで狭い歯間部への進入が容易であるという効果の両立が可能となり、より一層高いブラッシング性能をもつ歯ブラシを提供できる。
【図面の簡単な説明】
【００３５】
【図１】  本願考案の実施形態に係る歯ブラシの平面図である。
【図２】  本願考案の実施形態に係る歯ブラシの側面図である。
【図３】  図１に示したブラシ部の拡大図である。
【図４】  ブラシ部の形状を概念的に示した斜視図である。
【図５】  本願考案に係る歯ブラシを用いたブラッシング状態の説明図である。
【符号の説明】
【００３６】  １    ・・歯ブラシ
２    ・・柄体
３    ・・基台部
４    ・・ブラシ部
５    ・・第１のブラシ部
６    ・・第２のブラシ部
７    ・・ブラシ毛束
８    ・・ブラシ毛束
１１    ・・奥歯
１２    ・・奥歯
１３    ・・歯間部
【図１】
0003107546.tif 000003
【図２】
0003107546.tif 000004
【図３】
0003107546.tif 000005
【図４】
0003107546.tif 000006
【図５】
0003107546.tif 000007